(57)【要約】【課題】除湿装置の運転状況が離れた場所からでは確認できないという課題があり、離れた場所からでも使用者に容易に除湿状況を確認することができることを目的としている。【解決手段】表示手段２４のＬＥＤ２３ａ〜２３ｅの点灯時間を変更させながら同時点灯させる構成のものであり、ＬＥＤの点灯時間を変更させながら同時点灯させることで、連続的にＬＥＤが動くように見せることができ、視覚確認がし易く使い勝手が向上する除湿装置を得られる。【選択図】図１
2007253137.tif 000002
【特許請求の範囲】
【請求項１】
空気中の水分を除湿する除湿装置において、除湿運転時の除湿量を表示する表示手段を備えた除湿装置。
【請求項２】
表示手段は、水分、あるいは水、あるいは水滴が落ちていくように表示することを特徴とする請求項１記載の除湿装置。
【請求項３】
表示手段は、除湿量の多少に応じて、水分、あるいは水、あるいは水滴が落ちていく滴下速度を変えて表示する請求項１または２記載の除湿装置。
【請求項４】
表示手段は、除湿量が多いときは早く滴下するように見えるように、または、除湿量が少ないときは、遅く滴下するように見えるように表示する請求項３記載の除湿装置。
【請求項５】
表示手段は、除湿量の多少に応じて、色を変えて表示する請求項１または２記載の除湿装置。
【請求項６】
表示手段は、除湿量の多少に応じて、色の輝度を変えて表示する請求項１または２または５記載の除湿装置。
【請求項７】
空気中の水分を除湿する除湿装置本体と、この除湿装置本体の下部に出し入れ自在に設けられる貯水槽と、貯水槽内部に貯水された水の量により位置が変わるように設けられたフロートと、このフロートの位置を複数段階で検知する水位検知手段と、除湿装置の除湿状況を表示する表示手段を備え、ＬＥＤの点灯時間を変更させながら同時点灯させる構成を特徴とする除湿装置。
【請求項８】
表示手段がＬＥＤの輝度を変更させながら同時点灯させる構成を特徴とする請求項７記載の除湿装置。
【請求項９】
表示手段が除湿量に応じて、ＬＥＤの点灯時間を変更する構成を特徴とする請求項７または８記載の除湿装置。
【請求項１０】
表示手段が複数色に発光するＬＥＤで表示する構成を特徴とする請求項７〜９のいずれかに記載の除湿装置。
【請求項１１】
表示手段に満水予測ボタンを有し、現在の除湿量から満水時間を予測する構成を特徴とする請求項７〜１０のいずれかに記載の除湿装置。
【請求項１２】
表示手段に満水予測ボタンを有し、現在の除湿量から満水時間を予測した結果をＬＥＤで点灯表示する構成を特徴とする請求項１１に記載の除湿装置。
【請求項１３】
表示手段に満水予測ボタンを有し、現在の除湿量から満水時間を予測した結果を複数色に発光するＬＥＤで表示する構成を特徴とする請求項１１に記載の除湿装置。
【請求項１４】
表示手段に水量表示ボタンを有し、複数個のＬＥＤの全てを使用して水量表示する構成を特徴とする請求項７〜１１のいずれかに記載の除湿装置。
【請求項１５】
表示手段に水量表示ボタンを有し、複数色に発光するＬＥＤを使用して水量表示する構成を特徴とする請求項１４に記載の除湿装置。
【請求項１６】
表示手段に満水設定ボタンを有し、満水設定レベルを水位検知手段の設定値を変更する構成を特徴とする請求項７〜１１と１４のいずれかに記載の除湿装置。
【請求項１７】
表示手段に満水設定ボタンを有し、満水設定レベルを水位検知手段の設定値を変更した結果をＬＥＤで表示する構成を特徴とする請求項１６のいずれかに記載の除湿装置。
【請求項１８】
表示手段に満水設定ボタンを有し、満水設定レベルを水位検知手段の設定値を変更した結果を複数色に発光するＬＥＤで表示する構成を特徴とする請求項１６に記載の除湿装置。
【発明の詳細な説明】
【技術分野】
【０００１】
本発明は、表示手段を視覚的に容易にし、使い勝手を向上させた除湿装置に関するものである。
【背景技術】
【０００２】
従来、この種の除湿装置の一例として、結露水を受ける排水タンクを使用した除湿機が知られている（例えば、特許文献１参照）。
【０００３】
以下、その除湿機について図１２および図１３を参照しながら説明する。図に示すように、除湿機の本体１０１内をドレン受１０２と仕切板１０３により上部室１０４と中部室１０５および下部室１０６に仕切り、上部室１０４には蒸発器１０７と凝縮器１０８および送風ファン１０９を設け、中部室１０５には蒸発器１０７からの除湿水を受ける排水タンク１１０を引き出し自在に設け、排水タンク１１０には除湿水の水位を見る水位窓１１２を設け、下部室１０６には圧縮機１１３を配置し構成していた。
【特許文献１】特開２００２−３４９８９９号公報（［００１０］〜［００１２］、図１、図２）
【発明の開示】
【発明が解決しようとする課題】
【０００４】
このような従来の除湿装置では、除湿装置の運転状況が離れた場所からでは確認できないという課題があり、また離れた場所からでは、水位窓１１２から排水タンク１１０の水位を確認することができないという課題がある。
【０００５】
本発明は、このような従来の課題を解決するものであり、離れた場所からでも使用者に容易に除湿状況が確認することができ、また貯水槽の水位が使用者に容易に確認することができる除湿装置を提供することを目的としている。
【課題を解決するための手段】
【０００６】
本発明の除湿装置は、上記目標を達成するため、除湿運転時の除湿量を表示する構成とすることを特徴とする。
【０００７】
また、表示手段は、水分、あるいは水、あるいは水滴が落ちていくように表示する構成とすることを特徴とする。
【０００８】
さらに、表示手段は、除湿量の多少に応じて、水分、あるいは水、あるいは水滴が落ちていく滴下速度を変えて表示する構成とすることを特徴とする。
【０００９】
また、表示手段は、除湿量が多いときは早く滴下するように見えるように、または、除湿量が少ないときは、遅く滴下するように見えるように表示する構成とすることを特徴とする。
【００１０】
さらに、表示手段は、除湿量の多少に応じて、色を変えて表示する構成とすることを特徴とする。
【００１１】
また、表示手段は、除湿量の多少に応じて、色の輝度を変えて表示する構成とすることを特徴とする。
【００１２】
さらに、ＬＥＤの点灯時間を変更させながら同時点灯させる構成させることを特徴とする。
【００１３】
また、表示手段がＬＥＤの輝度を変更させながら、同時点灯させる構成を特徴とする。
【００１４】
さらに、表示手段が除湿量に応じて、ＬＥＤの点灯時間を変更する構成を特徴とする。
【００１５】
また、表示手段が複数色に発光するＬＥＤで表示する構成を特徴とする。
【００１６】
さらに、表示手段に満水予測ボタンを有し、現在の除湿量から満水時間を予測する構成を特徴とする。
【００１７】
また、表示手段に満水予測ボタンを有し、現在の除湿量から満水時間を予測した結果をＬＥＤで点灯表示する構成を特徴とする。
【００１８】
さらに、表示手段に満水予測ボタンを有し、現在の除湿量から満水時間を予測した結果を複数色に発光するＬＥＤで表示する構成を特徴とする。
【００１９】
また、表示手段に水量表示ボタンを有し、複数個のＬＥＤの全てを使用して水量表示する構成を特徴とする。
【００２０】
さらに、表示手段に水量表示ボタンを有し、複数色に発光するＬＥＤを使用して水量表示する構成を特徴とする。
【００２１】
また、表示手段に満水設定ボタンを有し、満水設定レベルを水位検知手段の設定値を変更する構成を特徴とする。
【００２２】
さらに、表示手段に満水設定ボタンを有し、満水設定レベルを水位検知手段の設定値を変更した結果をＬＥＤで表示する構成を特徴とする。
【００２３】
また、表示手段に満水設定ボタンを有し、満水設定レベルを水位検知手段の設定値を変更した結果を複数色に発光するＬＥＤで表示する構成を特徴とする。
【発明の効果】
【００２４】
本発明によれば、除湿運転時の除湿量を表示する表示手段を設けることで、離れた場所からでも除湿装置が運転していることがわかり、除湿装置に近づくことなく運転状況を確認できるため、使い勝手が良くなるという効果のある除湿装置を提供できる。
【００２５】
また、表示手段に水分、あるいは水、あるいは水滴が落ちていくように表示することで除湿装置が実際に除湿して水分、あるいは水、あるいは水滴を貯水槽に水滴落下している状態と同様な状態を表示手段に取り入れて、水滴落下表示させることで、使用者に除湿している様子が表示手段を用いて表現することができ、イメージすることができるため、使用者の年齢層に関係なく、使いやすいユニバーサルデザインにすることできる効果のある除湿装置を提供できる。
【００２６】
さらに、表示手段は、除湿量の多少に応じて、水分、あるいは水、あるいは水滴が落ちていく滴下速度を変えて表示することで、除湿量の多少に応じて、表示手段の表示を一定表示から、変化をつけることができるため、使用者に現在の除湿運転時の除湿量が変化したことをお知らせすることができる使い勝手が良い効果のある除湿装置を提供できる。
【００２７】
また、表示手段は、除湿量が多いときは早く滴下するように見えるように、または、除湿量が少ないときは、遅く滴下するように見えるように表示することで、除湿装置が実際に除湿して水分、あるいは水、あるいは水滴を貯水槽に水滴落下している同様な状態を、表示手段に取り入れて、水滴落下表示させることで、使用者に現在の除湿運転時の除湿量を随時、表示手段を用いてリアルタイムに表現することができる使い勝手が良い効果のある除湿装置を提供できる。
【００２８】
さらに、表示手段は、除湿量の多少に応じて、色を変えて表示することで、瞬時に色による除湿量の判別が可能となり、除湿量の変化を色による表示手段を用いてリアルタイムに表現することができる使い勝手が良い効果のある除湿装置を提供できる。
【００２９】
また、表示手段は、除湿量の多少に応じて、色の輝度を変えて表示することで、輝度による除湿量の判別が可能となり、除湿量の変化を輝度による表示手段を用いてリアルタイムに表現することができる使い勝手が良い効果のある除湿装置を提供できる。
【００３０】
本発明によれば、ＬＥＤの点灯時間を変更させながら同時点灯させる構成させることにより、離れた場所からでも除湿装置の運転状況、除湿状況と貯水槽の水位が容易に確認できるようになり、使い勝手が良くなるという効果のある除湿装置を提供できる。
【００３１】
また、表示手段がＬＥＤの輝度を変更させながら同時点灯させる構成により、離れた場所からでも除湿装置の運転状況および貯水槽の水位が視覚的にわかり易くなり、使い勝手が良くなるという効果のある除湿装置を提供できる。
【００３２】
さらに、表示手段が除湿量に応じて、ＬＥＤの点灯時間を変更する構成により、離れた場所からでもＬＥＤの点灯時間を確認することができ、現在の除湿量の状況が視覚的に容易に確認できるようになり、使い勝手が良くなるという効果のある除湿装置を提供できる。
【００３３】
また、表示手段が複数色に発光するＬＥＤで表示する構成により、離れた場所からでも複数色に発光するＬＥＤの点滅間隔を確認することができ、現在の除湿量の状況が視覚的により容易に確認できるようになり、使い勝手が良くなるという効果のある除湿装置を提供できる。
【００３４】
さらに、表示手段に満水予測ボタンを有し、現在の除湿量から満水時間を予測する構成により、現在の除湿量と貯水槽の水位から満水になる時間を予測することができることで、使用者に案内することができるようになり、使い勝手がよくなるという効果のある除湿装置を提供できる。
【００３５】
また、表示手段に満水予測ボタンを有し、現在の除湿量から満水時間を予測した結果をＬＥＤで点灯表示する構成により、現在の除湿量と貯水槽の水位から満水になる時間を予測し、ＬＥＤで表示することで、視覚的に使用者に容易に案内することができるようになり、使い勝手がよくなるという効果のある除湿装置を提供できる。
【００３６】
さらに、表示手段に満水予測ボタンを有し、現在の除湿量から満水時間を予測した結果を複数色に発光するＬＥＤで表示する構成により、現在の除湿量と貯水槽の水位から満水になる時間を予測し、複数色のＬＥＤで表示することで、視覚的に使用者により容易に案内することができるようになり、使い勝手がよくなるという効果のある除湿装置を提供できる。
【００３７】
また、表示手段に水量表示ボタンを有し、複数個のＬＥＤの全てを使用して水量表示する構成により、現在の貯水槽の水位レベルを細かくＬＥＤで確認することができることで、視覚的に容易に確認できるようになり、使い勝手がよくなるという効果のある除湿装置を提供できる。
【００３８】
さらに、表示手段に水量表示ボタンを有し、複数色に発光するＬＥＤを使用して水量表示する構成により、現在の貯水槽の水位レベルを細かく複数色のＬＥＤで確認することができることで、離れた場所からでも色の違いが目盛りとなり、視覚的に容易に確認することができるようになり、使い勝手がよくなるという効果のある除湿装置を提供できる。
【００３９】
また、表示手段に満水設定ボタンを有し、満水設定レベルを水位検知手段の設定値を変更する構成により、初期設定された満水水位レベルの水を捨てることが困難な使用者のために、持ち運び可能な水量を設定することが出来るようになり、使い勝手が良くなるという効果のある除湿装置を提供できる。
【００４０】
さらに、表示手段に満水設定ボタンを有し、満水設定レベルを水位検知手段の設定値を変更した結果をＬＥＤで表示する構成により、初期設定された満水水位レベルの水を捨てることが困難な使用者のために、持ち運び可能な水量を設定でき、設定した水位レベルをＬＥＤ表示して確認することが出来るようになり、使い勝手が良くなるという効果のある除湿装置を提供できる。
【００４１】
また、表示手段に満水設定ボタンを有し、満水設定レベルを水位検知手段の設定値を変更した結果を複数色に発光するＬＥＤで表示する構成により、初期設定された満水水位レベルの水を捨てることが困難な使用者のために、持ち運び可能な水量を設定でき、設定した水位レベルを複数色のＬＥＤ表示して確認することで、別の色で満水水位レベルと除湿量の表示が可能となり、使い勝手が良くなるという効果のある除湿装置を提供できる。
【発明を実施するための最良の形態】
【００４２】
本発明においては、除湿運転時の除湿量を表示する表示手段を備えた構成のものであり、水量検出手段にて検出した除湿量を、表示手段に表示することで、離れた場所からでも除湿装置の除湿量が容易に確認できるという作用を有する。
【００４３】
また、表示手段は、水分、あるいは水、あるいは水滴が落ちていくように表示することを特徴とする構成のものであり、除湿装置が実際に除湿している様子を表示手段を用いて、水滴落下を再現したイメージで表示させることで、使用者に除湿している様子をイメージすることができるため、離れた場所からでも除湿装置の除湿量が水滴落下表示にて容易に確認できるという作用を有する。
【００４４】
さらに、表示手段は、除湿量の多少に応じて、水分、あるいは水、あるいは水滴が落ちていく滴下速度を変えて表示する構成のものであり、除湿量の多少に応じて、表示手段の表示を一定表示から、変化をつけることができるため、離れた場所からでも除湿装置の除湿量に変化があったことが、容易に確認できるという作用を有する。
【００４５】
また、表示手段は、除湿量が多いときは早く滴下するように見えるように、または、除湿量が少ないときは、遅く滴下するように見えるように表示する構成のものであり、除湿装置が実際に除湿して水分、あるいは水、あるいは水滴を貯水槽に水滴落下している同様な状態を再現することで、除湿装置の除湿量に変化があったことが、容易に確認できるという作用を有する。
【００４６】
さらに、表示手段は、除湿量の多少に応じて、色を変えて表示する構成のものであり、除湿装置の除湿量に変化があったことが、色を用いて表現することで、容易に確認できるという作用を有する。
【００４７】
また、表示手段は、除湿量の多少に応じて、色の輝度を変えて表示する構成のものであり、除湿装置の除湿量に変化があったことが、色の輝度を用いて表現することで、容易に確認できるという作用を有する。
【００４８】
さらに、ＬＥＤの点灯時間を変更させながら同時点灯させる構成のものであり、ＬＥＤの点灯時間を変更させながら同時点灯させることで、連続的にＬＥＤが動くように見せることができ、除湿装置の運転状況、除湿状況と貯水槽の水位が容易に確認できるという作用を有する。
【００４９】
また、表示手段がＬＥＤの輝度を変更させながら同時点灯させる構成のものであり、ＬＥＤの輝度も同時に変更させることで、残像させてより柔らかに連続的にＬＥＤが動くように見せることができ、除湿装置の運転状況、除湿状況が容易に確認できるという作用を有する。
【００５０】
さらに、表示手段が除湿量に応じて、ＬＥＤの点灯時間を変更する構成のものであり、除湿量が多いときはＬＥＤの点灯時間を短くし、少ないときは点灯時間を長くすることで、除湿量を表現、確認できるという作用を有する。
【００５１】
また、表示手段が複数色に発光するＬＥＤで表示する構成のものであり、除湿量が多いときは視覚的に警戒作用のある赤系ＬＥＤを点灯し、少ないときは視覚的に安泰作用のある緑色系ＬＥＤを点灯させることで、除湿量を表現、確認できるという作用を有する。
【００５２】
さらに、表示手段に満水予測ボタンを有し、現在の除湿量から満水時間を予測する構成のものであり、現在の単位時間あたりの除湿水量と貯水槽の満水までの残水量より、満水になる時間を計算することができ、満水になる時間を予測することができるという作用を有する。
【００５３】
また、表示手段に満水予測ボタンを有し、現在の除湿量から満水時間を予測した結果をＬＥＤで点灯表示する構成のものであり、満水までに要する時間をＬＥＤの点灯回数等で時間表示することができるという作用を有する。
【００５４】
さらに、表示手段に満水予測ボタンを有し、現在の除湿量から満水時間を予測した結果を複数色に発光するＬＥＤで表示する構成のものであり、満水までに要する時間を複数色のＬＥＤの点灯回数等で時間表示し、例えば赤系表示の点滅回数は時間を表し、青系表示の点滅回数は分表示し精度よく、遠くからでも、満水までに要する時間を視覚確認し易いように、情報発信することができるという作用を有する。
【００５５】
また、表示手段に水量表示ボタンを有し、複数個のＬＥＤの全てを使用して水量表示する構成のものであり、ボタン切替えで貯水槽の水位レベルを全てのＬＥＤを使用して水量表示をすることで、細かな水量表現、貯水量の細かな違いを含めて、精度良く貯水量表示を可能とすることができるという作用を有する。
【００５６】
さらに、表示手段に水量表示ボタンを有し、複数色に発光するＬＥＤを使用して水量表示する構成のものであり、ボタン切替えで貯水槽の水位レベルを全てのＬＥＤを使用し、複数色で水量表示をすることで、より細かな水量表現、貯水量の細かな違いを含めて、精度良く貯水量表示を可能とすることができるという作用を有する。
【００５７】
また、表示手段に満水設定ボタンを有し、満水設定レベルを水位検知手段の設定値を変更する構成のものであり、初期設定された満水水位レベルを使用者の好みで設定変更できるという作用を有する。
【００５８】
さらに、表示手段に満水設定ボタンを有し、満水設定レベルを水位検知手段の設定値を変更した結果をＬＥＤで表示する構成のものであり、初期設定された満水水位レベルを変更していることを視覚的にわかり易くなるという作用を有する。
【００５９】
また、表示手段に満水設定ボタンを有し、満水設定レベルを水位検知手段の設定値を変更した結果を複数色に発光するＬＥＤで表示する構成のものであり、初期設定された満水水位レベルを変更して、複数色のＬＥＤで点灯表示することで、視覚的によりわかり易くなるという作用を有する。
【００６０】
以下、本発明の実施の形態について図面を参照しながら説明する。
【００６１】
（実施の形態１）
本発明の実施の形態１を図１乃至図４に基づいて説明する。図１〜図４に示すように、吸込口１と排出口２を設けた箱状の除湿装置本体３内に周囲の空気を吸引および排出を行う送風ファン４と通過する空気中の水分を吸着する吸湿材５と吸湿材５から水分を放出するために吸湿材５を加熱再生するための再生ヒータ６と再生空気流路内の空気を循環させるための再生ファン７と吸湿材５から放出される水分を凝縮させる凝縮器８と吸込口１から吸い込まれる空気の湿度を検出する湿度センサ９と送風ファン４と再生ヒータ６および再生ファン７の運転等を制御する制御部１０と使用者が運転モードを切替えるための操作部１１と除湿装置本体３の下部に出し入れ自在に設けられ、凝縮器８で凝縮された水分を貯める貯水槽１２を設ける。
【００６２】
また、操作部１１には、除湿装置の運転を開始するための電源スイッチ１３ａと除湿運転モードを切替える除湿切替弱スイッチ１３ｂおよび除湿切替中スイッチ１３ｃおよび除湿切替強スイッチ１３ｄからなるスイッチ入力部１３と電源が入っていることを表示する運転表示部１４ａと除湿運転の状態を表示する弱運転表示部１４ｂと中運転表示部１４ｃと強運転表示部１４ｄと貯水槽１２が満水になったときに点灯する満水表示部１４ｅからなる表示部１４と、満水予測する満水予測ボタン１５と細かな水量を表示させる水量表示ボタン１６と満水時の水位レベルの設定を変更できる満水設定ボタン１７を設ける。表示部１４としては、表示できれば良く、例えば、ＬＥＤ、ランプ、液晶などがある。
【００６３】
さらに、貯水槽１２の内部には、貯水槽１２に溜まった水の量により上下する磁石１８を設けたフロート１９が取り付けられ、貯水槽１２の前面には貯水槽１２に溜まった水の量が見える開口部２０が設けられ、フロート１９の上下移動に相対して水位検知手段２１が取り付けられ、水位検知手段２１は水位を検知する磁石１８の磁力により反応するホール素子２２ａ、２２ｂ、２２ｃ、２２ｄ、２２ｅ、２２ｆを複数段階に設ける。
【００６４】
また、貯水槽１２の水位はホール素子２２ａ、２２ｂ、２２ｃ、２２ｄ、２２ｅ、２２ｆがＯＮすることで検知できる。
【００６５】
さらに、除湿装置本体３内部に設けた貯水槽１２に溜まった水の量が見える開口部２０の上に位置するところには、除湿装置本体３の外側から見える位置に設けられる複数個のＬＥＤ２３ａ、２３ｂ、２３ｃ、２３ｄ、２３ｅを設けた表示手段２４を設ける。表示手段２４としては、表示できれば良く、例えば、ＬＥＤ、ランプ、液晶などがある。
【００６６】
表示手段２４には、除湿状況として、強運転、弱運転などの除湿装置運転モード、貯水槽１２の水位上昇度などにより認識されるその時々の除湿能力、除湿速度、貯水槽１２の水位などにより認識される除湿量、除湿運転しているか否かを示す除湿運転状態などの除湿状況を表示し、使用者に通知することができる。なお、除湿装置が空気中の水分を除去し、それを貯水槽１２に貯水していることをイメージとして表示するのも含み、水分、あるいは水、あるいは水滴が貯水槽１２に落ちていくような表示としている。水分は、除湿した空気中の水分であり、水、あるいは水滴などであり、その除湿した水分である水、水滴が、点滅光、断続光、連続光、光の強度、輝度が強弱が付いた状態などにより、上から下に落ちるように、表示するものでもある。空気中から除湿した水分が、水滴として、下の貯水槽１２に落ちるように見える表示としたものも含むものでもある。
【００６７】
また、除湿装置本体３内部に設けた貯水槽１２の入口付近に単位時間あたりの除湿量を検出する水量検出手段２５を設ける。水量検出手段２５としては、水量が検出できれば良く、例えば、水量計などがある。
【００６８】
上記構成において、除湿運転時の除湿量を表示する表示手段について説明する。
【００６９】
電源スイッチ１３ａが押され除湿装置の運転が開始されると、送風ファン４が運転し、空気中の水分、あるいは水、あるいは水滴が、除湿装置本体３の吸込口１から除湿装置内部に入り、吸湿材５に吸着される。
【００７０】
また、再生ファン７にて、吸湿材５に吸着した水分、あるいは水、あるいは水滴は、放出されて凝縮器８で凝縮されて水分、あるいは水、あるいは水滴は、水量検出手段２５を通過して、水摘落下して、除湿装置本体３内部に設けた貯水槽１２に水分、あるいは水、あるいは水滴が溜まる。
【００７１】
さらに、除湿運転時の除湿量を検出する水量検出手段２５で検出された除湿量を、制御部１０へ伝え、表示手段２４に検出結果の除湿量を表示手段２４へ表示することとする。
【００７２】
また、表示手段として、表示できれば良く、例えば、ＬＥＤ、ランプ、液晶などがある。
【００７３】
さらに、図２（２）に示すように除湿量を表示させる一例として、ＬＥＤ２３ｅ〜ＬＥＤ２３ａを用いて表現させるために、除湿量を５段階に分割し、上部のＬＥＤ２３ｅを最高レベルの除湿量とし、低部のＬＥＤ２３ａを最低レベルの除湿量とした場合、水量検出手段２５から検出された結果で、除湿量が５段階で最高レベルであれば、ＬＥＤ２３ｅを点灯させて、あるいは、除湿量が５段階で最低レベルであれば、ＬＥＤ２３ａを点灯させることで、表現できる。
【００７４】
また、表示手段２４は離れた場所からでも使用者が容易にわかり、見やすい位置に配置させるために、例えば、除湿装置本体の前面部のほぼ中心の位置に配置し、どの角度からも表示手段が見えるようにしたり、除湿装置の全面を曲面にすることで、表示手段を広角の範囲から見えるような構造にすることもできるため、除湿装置の除湿量が容易に視覚確認できる。
【００７５】
（実施の形態２）
実施の形態１と同一部分は同一番号を付し、詳細な説明は省略する。本発明の実施の形態２を図１乃至４に基づいて説明する。  図２（１）に示すような除湿装置本体３において、電源スイッチ１３ａが押され除湿装置の運転が開始されると、表示手段２４の表示が、水分、あるいは水、あるいは水滴が落ちていくように表示することとする。
【００７６】
なお、除湿装置が空気中の水分を除去し、それを貯水槽１２に貯水していることをイメージとして表示するため、水や水滴が貯水槽１２に落ちていくような表示としている。
【００７７】
また、図２（２）に示すように、（ａ）⇒（ｂ）⇒（ｃ）⇒（ｄ）⇒（ｅ）と表示手段２４が時間と経過とともに動くこととする。
【００７８】
さらに、表示手段２４としては、表示できれば良く、例えば、ＬＥＤ、ランプ、液晶などがあり、動作の一例として、表示手段は、ＬＥＤを用いて表示した場合、図２（２）に示すように、ＬＥＤ２３ｅの横に水分、あるいは水、あるいは水滴を表現しているが、水分、あるいは水、あるいは水滴が時間経過とともに、（ａ）⇒（ｂ）⇒（ｃ）⇒（ｄ）⇒（ｅ）へ水滴落下するとようなイメージをＬＥＤを用いて表現するために、最初にＬＥＤ２３ｅ点灯し、次にＬＥＤ２３ｄが点灯し、次にＬＥＤ２３ｃが点灯し、次にＬＥＤ２３ｂが点灯し、最後に次にＬＥＤ２３ａが点灯することで、水分、あるいは水、あるいは水滴を表示手段２４にて、水滴落下表示させることで、使用者に除湿している様子が伝わり、イメージすることができるため、除湿装置の除湿状況が容易に視覚確認できる。
【００７９】
（実施の形態３）
実施の形態１乃至２のいずれかと同一部分は同一番号を付し、詳細な説明は省略する。本発明の実施の形態３を図１乃至図４に基づいて説明する。図２（１）に示すような除湿装置本体３において、表示手段２４の表示が、水分、あるいは水、あるいは水滴が、除湿量の多少に応じて、滴下速度を変えて表示することとする。
【００８０】
また、表示手段２４としては、表示できれば良く、例えば、ＬＥＤ、ランプ、液晶などがあり、動作の一例として、表示手段は、ＬＥＤを用いて表示した場合、図２（２）に示すように、（ａ）⇒（ｂ）⇒（ｃ）⇒（ｄ）⇒（ｅ）と表示手段２４が時間と経過とともに動くが、水量検出手段２５で検出された除湿量から、除湿量の多少に応じて、（ａ）⇒（ｂ）⇒（ｃ）⇒（ｄ）⇒（ｅ）へ移動する表示速度を変更して、滴下速度を変えるため、除湿運転時の除湿量の変化が起こったことが、表示手段２４にて確認することができるため、除湿装置の除湿量が容易に視覚確認できる。
【００８１】
（実施の形態４）
実施の形態１乃至３のいずれかと同一部分は同一番号を付し、詳細な説明は省略する。本発明の実施の形態４を図１乃至図４に基づいて説明する。図２（１）に示すような除湿装置本体３において、表示手段２４の表示が、水分、あるいは水、あるいは水滴が、除湿量が多いときは早く滴下するように見えるように、または、除湿量が少ないときは、遅く滴下するように見えるように表示することとする。
【００８２】
また、表示手段２４としては、表示できれば良く、例えば、ＬＥＤ、ランプ、液晶などがあり、動作の一例として、表示手段は、ＬＥＤを用いて表示した場合、図２（２）に示すように、（ａ）⇒（ｂ）⇒（ｃ）⇒（ｄ）⇒（ｅ）と表示手段２４が時間と経過とともに動くが、除湿量が多いときは早く滴下するように見えるように、または、除湿量が少ないときは、遅く滴下するように見えるように表示するために、ＬＥＤ２３ａ、２３ｂ、２３ｃ、２３ｄ、２３ｅは、標準除湿量の場合、１個あたりのＬＥＤの点灯時間を１秒とすると、除湿量が標準除湿量より多い時は、ＬＥＤの点灯時間を０．５秒とする。
【００８３】
さらに、反対に除湿量が標準除湿量より少ない時は、点灯時間を１．５秒に変更する。
【００８４】
また、除湿量でＬＥＤ点灯時間を判断させる理由として、運転モード（強運転・中運転・弱運転）で判断させてＬＥＤ表示せると、正しい情報を使用者に表示できない可能性がある。例えば、実際は湿度が低い環境化で強運転していることで、ＬＥＤの点灯時間が短くなっている場合、使用者にはＬＥＤを見て多く除湿しているイメージを持つが、実際は湿度が低いため、除湿量は少なく、強運転をしているイメージとの差を生じるため、使用者の使い勝手を向上させるために、除湿量にて判断させることとする。
【００８５】
また、ＬＥＤ２３ａ、２３ｂ、２３ｃ、２３ｄ、２３ｅの連続的なＬＥＤの動きは、除湿量が多いときは、早く滴下するように見え、水量が貯水槽１２にどんどん溜まるイメージを生み出すことができる。
【００８６】
さらに、除湿量が少ないときは、遅く滴下するように見え、水量が貯水槽１２に少しずつ溜まるイメージを生み出すことで、離れた場所でも水分が貯水槽１２に溜まるイメージを掴むことができ、除湿状況がひと目で確認できる。
【００８７】
（実施の形態５）
実施の形態１乃至４のいずれかと同一部分は同一番号を付し、詳細な説明は省略する。本発明の実施の形態５を図１乃至図４に基づいて説明する。図２（１）に示すような除湿装置本体３において、表示手段２４の表示が除湿量の多少に応じて、色を変えて表示することとする。
【００８８】
また、表示手段２４としては、表示できれば良く、例えば、ＬＥＤ、ランプ、液晶などがあり、動作の一例として、表示手段は、ＬＥＤを用いて表示した場合、図２（２）に示すように、（ａ）⇒（ｂ）⇒（ｃ）⇒（ｄ）⇒（ｅ）と表示手段２４が時間と経過とともに動くが、除湿量の多少に応じて、色を変えて表示するために、電源スイッチ１３ａが押され、除湿装置の運転が開始されると水量検出手段２５が働き、単位時間あたりの除湿水量を検出し、検出結果が制御部１０へ伝わり、標準除湿量より多い時は、ＬＥＤが視覚的に警戒作用のある色を点灯させることにする。
【００８９】
さらに、反対に標準除湿量より少ない時は、ＬＥＤが視覚的に安泰作用のある色を点灯させることとする。
【００９０】
例えば、ＬＥＤ２３ａ、２３ｂ、２３ｃ、２３ｄ、２３ｅは、標準除湿量の場合、ＬＥＤ２３ａ〜ＬＥＤ２３ｅは青系の色を表示する。
【００９１】
また、標準除湿量より多い時は、制御部１０からの信号で赤系に色を変更して表示させる。
【００９２】
さらに、標準除湿量より少ない時は、制御部１０からの信号で緑系に色を変更して表示させる。
【００９３】
また、そうすることで、ＬＥＤ２３ａ、２３ｂ、２３ｃ、２３ｄ、２３ｅの表示は、色を変更することで、容易に視覚的に除湿量をイメージすることができ、離れた場所でも、除湿状況がひと目で確認できる。
【００９４】
（実施の形態６）
実施の形態１乃至５のいずれかと同一部分は同一番号を付し、詳細な説明は省略する。本発明の実施の形態４を図１乃至図４に基づいて説明する。図２（１）に示すような除湿装置本体３において、表示手段２４の表示が除湿量の多少に応じて、色の輝度を変えて表示することとする。
【００９５】
また、表示手段２４としては、表示できれば良く、例えば、ＬＥＤ、ランプ、液晶などがあり、動作の一例として、表示手段は、ＬＥＤを用いて表示した場合、図２（２）に示すように、（ａ）⇒（ｂ）⇒（ｃ）⇒（ｄ）⇒（ｅ）と表示手段２４が時間と経過とともに動くが、除湿量の多少に応じて、色の輝度を変えて表示するために、電源スイッチ１３ａが押され、除湿装置の運転が開始されると、水量検出手段２５が働き、単位時間あたりの除湿水量を検出し、検出結果が制御部１０へ伝わり、標準除湿量より多い時は、ＬＥＤの輝度を明るくして、視覚的に力強いイメージのある高輝度で点灯させることにする。
【００９６】
さらに、反対に標準除湿量より少ない時は、ＬＥＤを暗くして、視覚的に弱弱しいイメージのある低輝度で点灯させることとする。
【００９７】
また、ＬＥＤ２３ａ、２３ｂ、２３ｃ、２３ｄ、２３ｅの表示は、輝度を変更することで、容易に視覚的に除湿量をイメージすることができ、離れた場所でも、除湿状況がひと目で確認できる。
【００９８】
（実施の形態７）
本発明の実施の形態７を図１乃至図７に基づいて説明する。図１〜図４に示すように、吸込口１と排出口２を設けた箱状の除湿装置本体３内に周囲の空気を吸引および排出を行う送風ファン４と通過する空気中の水分を吸着する吸湿材５と吸湿材５から水分を放出するために吸湿材５を加熱再生するための再生ヒータ６と再生空気流路内の空気を循環させるための再生ファン７と吸湿材５から放出される水分を凝縮させる凝縮器８と吸込口１から吸い込まれる空気の湿度を検出する湿度センサ９と送風ファン４と再生ヒータ６および再生ファン７の運転等を制御する制御部１０と使用者が運転モードを切替えるための操作部１１と除湿装置本体３の下部に出し入れ自在に設けられ、凝縮器８で凝縮された水分を貯める貯水槽１２を設ける。
【００９９】
また、操作部１１には、除湿装置の運転を開始するための電源スイッチ１３ａと除湿運転モードを切替える除湿切替弱スイッチ１３ｂおよび除湿切替中スイッチ１３ｃおよび除湿切替強スイッチ１３ｄからなるスイッチ入力部１３と電源が入っていることを表示する運転表示部１４ａと除湿運転の状態を表示する弱運転表示部１４ｂと中運転表示部１４ｃと強運転表示部１４ｄと貯水槽１２が満水になったときに点灯する満水表示部１４ｅからなる表示部１４と、満水予測する満水予測ボタン１５と細かな水量を表示させる水量表示ボタン１６と満水時の水位レベルの設定を変更できる満水設定ボタン１７を設ける。表示部１４としては、表示できれば良く、例えば、ＬＥＤ、液晶などがある。
【０１００】
さらに、貯水槽１２の内部には、貯水槽１２に溜まった水の量により上下する磁石１８を設けたフロート１９が取り付けられ、貯水槽１２の前面には貯水槽１２に溜まった水の量が見える開口部２０が設けられ、フロート１９の上下移動に相対して水位検知手段２１が取り付けられ、水位検知手段２１は水位を検知する磁石１８の磁力により反応するホール素子２２ａ、２２ｂ、２２ｃ、２２ｄ、２２ｅ、２２ｆを複数段階に設ける。
【０１０１】
また、貯水槽１２の水位はホール素子２２ａ、２２ｂ、２２ｃ、２２ｄ、２２ｅ、２２ｆがＯＮすることで検知できる。
【０１０２】
さらに、除湿装置本体３内部に設けた貯水槽１２に溜まった水の量が見える開口部２０の上に位置するところには、除湿装置本体３の外側から見える位置に設けられる複数個のＬＥＤ２３ａ、２３ｂ、２３ｃ、２３ｄ、２３ｅを設けた表示手段２４を設ける。表示手段２４としては、表示できれば良く、例えば、ＬＥＤ、液晶などがある。
【０１０３】
また、除湿装置本体３内部に設けた貯水槽１２の入口付近に単位時間あたりの除湿量を検出する水量検出手段２５を設ける。水量検出手段２５としては、水量が検出できれば良く、例えば、水量計などがある。
【０１０４】
上記構成において、除湿装置本体３の外側から見える位置に設けられる表示手段２４の複数個のＬＥＤ２３ａ、２３ｂ、２３ｃ、２３ｄ、２３ｅの消灯および点灯動作について説明する。
【０１０５】
電源スイッチ１３ａが押され除湿装置の運転が開始されるとＬＥＤ２３ａ、２３ｂ、２３ｃ、２３ｄ、２３ｅは図５（ａ）〜（ｇ）に示すように、すべてＯＦＦ→ＬＥＤ２３ｅ点灯→ＬＥＤ２３ｅ点灯とＬＥＤ２３ｄ点灯→ＬＥＤ２３ｄ点灯とＬＥＤ２３ｃ点灯→ＬＥＤ２３ｃ点灯とＬＥＤ２３ｂ点灯→ＬＥＤ２３ｂ点灯とＬＥＤ２３ａ点灯→ＬＥＤ２３ａ点灯→すべてＯＦＦ→ＬＥＤ２３ｅ点灯→・・・の順番で巡回点灯を繰り返す。
【０１０６】
また、除湿装置の運転が続き貯水槽１２の水位が上昇しホール素子２２ａがＯＮした場合、ＬＥＤ２３ａ、２３ｂ、２３ｃ、２３ｄ、２３ｅは図６（ａ）〜（ｆ）に示すようにＬＥＤ２３ａ点灯→ＬＥＤ２３ａとＬＥＤ２３ｅ点灯→ＬＥＤ２３ａとＬＥＤ２３ｅ点灯と２３ｄ点灯→ＬＥＤ２３ａとＬＥＤ２３ｄ点灯とＬＥＤ２３ｃ点灯→ＬＥＤ２３ａとＬＥＤ２３ｃ点灯とＬＥＤ２３ｂ点灯→ＬＥＤ２３ａ点灯とＬＥＤ２３ｂ点灯→ＬＥＤ２３ａ点灯→・・・の順番で巡回点灯を繰り返す（ＬＥＤ２３ａは常に点灯状態）。
【０１０７】
さらに、除湿装置の運転が続き、貯水槽１２の水位が上昇しホール素子２２ｂがＯＮした場合は、図７（ａ）〜（ｅ）に示すようにＬＥＤ２３ａとＬＥＤ２３ｂ点灯→ＬＥＤ２３ａとＬＥＤ２３ｂとＬＥＤ２３ｅ点灯→ＬＥＤ２３ａとＬＥＤ２３ｂとＬＥＤ２３ｅ点灯とＬＥＤ２３ｄ点灯→ＬＥＤ２３ａとＬＥＤ２３ｂとＬＥＤ２３ｄ点灯とＬＥＤ２３ｃ点灯→ＬＥＤ２３ａとＬＥＤ２３ｂ点灯とＬＥＤ２３ｃ点灯→ＬＥＤ２３ａとＬＥＤ２３ｂ点灯→・・・順番で巡回点灯を繰り返す（ＬＥＤ２３ａとＬＥＤ２３ｂは常に点灯状態）。
【０１０８】
また、これにより水分が貯水槽１２に落ちていくように見え除湿装置が運転していることと、貯水槽１２に溜まっている水の量が離れた場所でも容易に確認できる。
【０１０９】
さらに、ＬＥＤの点灯時間であるが、１個あたりの点灯時間の約半分程度の時間を遅延させて２個目を点灯させることにする。例えば、１個あたりの点灯時間を１秒とすると、すべてＯＦＦ→ＬＥＤ２３ｅ点灯（１秒間）→０、５秒後ＬＥＤ２３ｄ点灯（１秒間）→０．５秒後ＬＥＤ２３ｃ点灯（１秒間）→・・・の順番で巡回点灯を繰り返す。そうすることで結果的にＬＥＤ２３ｅを消灯すると同時にＬＥＤ２３ｃが点灯（ＬＥＤ２３ｄはその間点灯）し、連続的に見える結果を生み出し、水分が貯水槽１２に連続的に落ちていくように見え、除湿装置が運転していることと、貯水槽１２に溜まっている水の量が離れた場所でも容易に確認できる。
【０１１０】
（実施の形態８）
実施の形態７と同一部分は同一番号を付し、詳細な説明は省略する。本発明の実施の形態８を図１乃至４と図８乃至図１０に基づいて説明する。図において、電源スイッチ１３ａが押され除湿装置の運転が開始されるとＬＥＤ２３ａ、２３ｂ、２３ｃ、２３ｄ、２３ｅは図８（ａ）〜（ｇ）に示すように、すべてＯＦＦ→ＬＥＤ２３ｅ点灯→ＬＥＤ２３ｅ点灯とＬＥＤ２３ｄ点灯→ＬＥＤ２３ｄ点灯とＬＥＤ２３ｃ点灯→ＬＥＤ２３ｃ点灯とＬＥＤ２３ｂ点灯→ＬＥＤ２３ｂ点灯とＬＥＤ２３ａ点灯→ＬＥＤ２３ａ点灯→すべてＯＦＦ→ＬＥＤ２３ｅ点灯→・・・の順番で巡回点灯を繰り返すが、ＬＥＤの点灯方式を輝度を変更させながら変更することにする。
【０１１１】
また、１個あたりのＬＥＤの点灯時間の半分を前後半に分け、前半の点灯は標準の輝度の点灯とし、後半の点灯は輝度を時間経過で暗くする。例えば、１個あたりのＬＥＤの点灯時間を１秒とすると、前半の０．５秒は通常輝度で点灯し、後半の０．５秒で通常輝度から消灯へ時間経過とともに輝度を少しずつ暗くすることとする。
【０１１２】
さらに、請求項１と同様に次に点灯するＬＥＤの点灯時間の約半分程度の時間を遅延させて２個目を点灯させることとする。
【０１１３】
また、巡回点灯するパターンは、図９及び図１０とし、実施の形態１と同様なパターンとする。
【０１１４】
さらに、ＬＥＤの輝度を変更させながら、同時点灯させることで、残像効果を生み、柔らかで連続的なＬＥＤの巡回点灯を繰り返し、水分の滴下をＬＥＤでイメージさせているため、柔らかで連続的な動きが必要であり、ＬＥＤの輝度を変更した場合、離れた場所でも容易に水分が貯水槽１２に柔らかく連続的に落ちていくように見え、除湿装置の運転状況、除湿状況が容易に視覚確認できる。
【０１１５】
（実施の形態９）
実施の形態７または８と同一部分は同一番号を付し、詳細な説明は省略する。本発明の実施の形態９を図１乃至図４と図８乃至図１０に基づいて説明する。図において、電源スイッチ１３ａが押され除湿装置の運転が開始されると水量検出手段２５が働き、単位時間あたりの除湿水量を検出する。検出結果が制御部１０へ伝わり、標準除湿量より多い時は、ＬＥＤの点灯時間を通常より短くすることにする。
【０１１６】
また、反対に標準除湿量より少ない時は、ＬＥＤの点灯時間を長くすることとする。
【０１１７】
例えば、水量検出手段２５は水量計にて除湿水量を検出する。標準除湿量は、中運転時と同等とした場合、１０リットルタイプの能力は、５．６Ｌ／日であり、１時間あたり、約２３０ミリリットルとする。
【０１１８】
さらに、標準除湿量より多い時は、強運転時と同等とした場合、１０リットルタイプの能力は、９．６Ｌ／日であり、１時間あたり、約４００ミリリットル程度であるため、３５０ミリリットル／ｈを超えた時点で標準除湿量より多い時と判断させる。
【０１１９】
また、標準除湿量より少ない時は、弱運転時と同等とした場合、１０リットルタイプの能力は、３．５Ｌ／日であり、１時間あたり、約１４５ミリリットル程度であるため、１６０ミリリットル／ｈ未満になった時点で標準除湿量より少ない時と判断させる。
【０１２０】
さらに、標準除湿量の範囲は、１６０〜３５０ミリリットル／ｈとする。
【０１２１】
また、ＬＥＤ２３ａ、２３ｂ、２３ｃ、２３ｄ、２３ｅは図８（ａ）〜（ｇ）に示すような動きをするが、標準除湿量の場合、１個あたりのＬＥＤの点灯時間を１秒とすると、除湿量が標準除湿量より多い時は、ＬＥＤの点灯時間を０．５秒とする。
【０１２２】
さらに、反対に除湿量が標準除湿量より少ない時は、点灯時間を１．５秒に変更する。
【０１２３】
また、除湿量でＬＥＤ点灯時間を判断させる理由として、運転モード（強運転・中運転・弱運転）で判断させてＬＥＤ表示せると、正しい情報を使用者に表示できない可能性がある。
【０１２４】
例えば、実際は湿度が低い環境化で強運転していることで、ＬＥＤの点灯時間が短くなっている場合、使用者にはＬＥＤを見て多く除湿しているイメージを持つが、実際は湿度が低いため、除湿量は少なく、強運転をしているイメージとの差を生じるため、使用者の使い勝手を向上させるために、除湿量にて判断させることとする。
【０１２５】
また、そうすることで、ＬＥＤ２３ａ、２３ｂ、２３ｃ、２３ｄ、２３ｅの連続的なＬＥＤの動きは、除湿量が多いときは、早く滴下するように見え、水量が貯水槽１２にどんどん溜まるイメージを生み出すことができる。
【０１２６】
さらに、除湿量が少ないときは、遅く滴下するように見え、水量が貯水槽１２に少しずつ溜まるイメージを生み出すことで、離れた場所でも水分が貯水槽１２に溜まるイメージを掴むことができ、除湿状況がひと目で確認できる。
【０１２７】
（実施の形態１０）
実施の形態７乃至９のいずれかと同一部分は同一番号を付し、詳細な説明は省略する。本発明の実施の形態１０を図１乃至図４と図８乃至図１０に基づいて説明する。図において、電源スイッチ１３ａが押され除湿装置の運転が開始されると水量検出手段２５が働き、単位時間あたりの除湿水量を検出する。
【０１２８】
また、検出結果が制御部１０へ伝わり、標準除湿量より多い時は、複数色に発光するＬＥＤは、視覚的に警戒作用のある色を点灯させることにする。
【０１２９】
さらに、反対に標準除湿量より少ない時は、複数色を発光するＬＥＤは、視覚的に安泰作用のある色を点灯させることとする。
【０１３０】
例えば、ＬＥＤ２３ａ、２３ｂ、２３ｃ、２３ｄ、２３ｅは図８（ａ）〜（ｇ）に示すような動きをするが、標準除湿量の場合、ＬＥＤ２３ａ〜ＬＥＤ２３ｅは青系の色を表示する。
【０１３１】
また、標準除湿量より多い時は、制御部１０からの信号で赤系に色を変更して表示させる。
【０１３２】
さらに、標準除湿量より少ない時は、制御部１０からの信号で緑系に色を変更して表示させる。
【０１３３】
また、そうすることで、ＬＥＤ２３ａ、２３ｂ、２３ｃ、２３ｄ、２３ｅの表示は、色を変更することで、容易に視覚的に除湿量をイメージすることができ、離れた場所でも、除湿状況がひと目で確認できる。
【０１３４】
（実施の形態１１）
実施の形態７乃至１０のいずれかと同一部分は同一番号を付し、詳細な説明は省略する。本発明の実施の形態１１を図１と図４に基づいて説明する。図において、電源スイッチ１３ａが押され除湿装置の運転が開始されると水量検出手段２５が働いている状態で、満水予測ボタン１５を押すと現在の水量検出手段２５が検出した単位時間あたりの除湿水量を算出する。
【０１３５】
また、水位検知手段２１のホール素子２２ａ〜ホール素子２２ｆが現在の水位を検知し、貯水槽１２の満水までの残水量を確認する。
【０１３６】
さらに、現在の除湿量と貯水槽１２の満水までの残水量から満水までに要する時間を制御部１０が予測する機能をもつこととする。
【０１３７】
また、この機能により、使用者は貯水槽１２に溜まった水量を次回捨てる時間を予測することができる。貯水槽１２が満水になることで、機能保護が働き除湿運転が停止するが、常時除湿を希望する使用者にとって、貯水槽１２が満水になる前に水量を捨てる行為が必要なため、ある程度、時間予測される機能があることで、予測時間前に水量を捨てることで、機能保護による停止時間の継続時間が削減することで、常時除湿が可能となる。
【０１３８】
（実施の形態１２）
実施の形態７乃至１１のいずれかと同一部分は同一番号を付し、詳細な説明は省略する。本発明の実施の形態１２を図１と図４に基づいて説明する。図において、満水予測ボタン１５を押すと現在の水量検出手段２５が検出した除湿水量と貯水槽１２の満水までの残水量を確認し、満水までに要する時間を制御部１０が予測し、表示手段２４に時間表示させることとする。
【０１３９】
例えば、表示手段２４のＬＥＤ２３ａ〜ＬＥＤ２３ｅは、満水予測ボタン１５を押されるまでは、除湿しているイメージを表す、水量滴下の表示と水位レベルを表示しているが、満水予測ボタン１５を押すことで、一旦全消灯し、その後、ＬＥＤ２３ａが制御部１０が予測した時間をＬＥＤの点灯回数で表現するとする。
【０１４０】
また、５時間後の予測であれば、ＬＥＤ２３ａ〜ＬＥＤ２３ｅは全消灯となり、その後、ＬＥＤ２３ａが５回点滅を繰り返し、その後、通常の運転モードに自動復帰して、ＬＥＤ２３ａからＬＥＤ２３ｅは再度、巡回点灯を繰り返すこととする。そうすることで、使用者は明確に満水までの予測時間を視覚的に確認することができる。
【０１４１】
（実施の形態１３）
実施の形態７乃至１２のいずれかと同一部分は同一番号を付し、詳細な説明は省略する。本発明の実施の形態１３を図１と図４に基づいて説明する。図において、満水までに要する時間を複数色のＬＥＤで表示することとする。
【０１４２】
例えば、表示手段２４のＬＥＤ２３ａ〜ＬＥＤ２３ｅは複数色を発光するＬＥＤを用いることで、制御部１０が予測した時間をＬＥＤの点灯回数で表現するが、青色点滅を時間表示（１時間単位）とし、緑色点滅を分表示（１５分単位）とした場合、５時間４５分後の予測結果であれば、青色点滅５回で５時間を表し、続けて緑色点滅３回で４５分を表示することで、より明確な予測時間を表現することができる。
【０１４３】
また、その後通常の運転モードに自動復帰して、ＬＥＤ２３ａからＬＥＤ２３ｅは再度、巡回点灯を繰り返すこととする。そうすることで、使用者はより明確に満水までの予測時間を視覚的に確認することができる。
【０１４４】
（実施の形態１４）
実施の形態７乃至１３のいずれかと同一部分は同一番号を付し、詳細な説明は省略する。本発明の実施の形態１４を図１と図４と図１１に基づいて説明する。図において、水量表示ボタン１６は表示手段２４のあらゆる表示を活用して、詳細な水量を表示させるための切替ボタンである。
【０１４５】
例えば、水量表示ボタン１６を押される前までは、表示手段２４のＬＥＤは、ＬＥＤ２３ｃを水量満水と位置付け、ＬＥＤ２３ｂは水量２／３レベル、ＬＥＤ２３ａは水量１／３レベルを表示する。
【０１４６】
また、その表示する元になる水位検知手段２１の水位を検知する磁石１８の磁力により反応するホール素子２２ａ〜ホール素子２２ｆが複数段階に設定されており、図１１に示すように通常状態において、ホール素子２２ｂが貯水槽１２の水位レベルの１／３に配置されているため、ホール素子２２ｂが検出した時点で、ＬＥＤ２３ａを表示させる。
【０１４７】
さらに、ホール素子２２ｄは水位レベル２／３に配置されているため、ホール素子２２ｄが検出した時点で、ＬＥＤ２３ｂを表示させる。
【０１４８】
また、ホール素子２２ｆは水位レベル満水に配置されているため、ホール素子２２ｆが検出した時点で、ＬＥＤ２３ｃを表示させる。
【０１４９】
さらに、詳細の水位を表示するための水量表示ボタン１６を押すことで、ＬＥＤの表示が切替り、ホール素子２２ａは水位レベル１／６に配置されているため、ホール素子２２ａが検出した時点で、ＬＥＤ２３ａを表示させて１／６レベルの水量表示させる。
【０１５０】
また、ホール素子２２ｂは水位レベル２／６（１／３）に配置されているため、ホール素子２２ｂが検出した時点で、ＬＥＤ２３ｂを表示させて２／６（１／３）レベルの水量表示させる。
【０１５１】
さらに、以下図１１に記載した表のように動作し、ホール素子２２ｅは水位レベル５／６に配置されているため、ホール素子２２ｅが検出した時点で、ＬＥＤ２３ｅを表示させて５／６レベルの水量表示させる。
【０１５２】
また、ホール素子２２ｆは水位レベル６／６（満水）に配置されているため、ホール素子２２ｆが検出した時点で、ＬＥＤ２３ａ〜ＬＥＤ２３ｅのすべてを点滅表示させて６／６（満水）レベルの水量表示させる。貯水槽１２の水位レベルを詳細表示させることで、離れた場所でも容易に貯水槽１２の詳細な水位レベルを確認することができる。
【０１５３】
（実施の形態１５）
実施の形態７乃至１４のいずれかと同一部分は同一番号を付し、詳細な説明は省略する。本発明の実施の形態１５を図１と図４と図１１に基づいて説明する。図において、水量表示ボタン１６は表示手段２４のあらゆる表示を活用して、詳細な水量を表示させるための切替ボタンであり、複数色を発光するＬＥＤを用いることで色で水位レベルを表現させて離れた場所でも容易に貯水槽１２の詳細な水位レベルをより明確に確認することができる。
【０１５４】
例えば、水量イメージとして、水量が低位の時は青系を表示し、中位時点の時はオレンジ系、高位の時は赤系のＬＥＤを表示させて注意をさせることとする。
【０１５５】
また、動作として、水量表示ボタン１６が押され、詳細な水量レベルを表示している状態で水位レベルが１／６から２／６（低位）であれば、ＬＥＤ２３ａ、ＬＥＤ２３ｂは青系ＬＥＤを点灯させる。水位レベルが３／６〜４／６（中位）であれば、ＬＥＤ２３ｃ、ＬＥＤ２３ｄはオレンジ系ＬＥＤを点灯させる。
【０１５６】
さらに、水位レベルが５／６〜６／６（高位）の時は、ＬＥＤ２３ｅの点灯または、ＬＥＤ２３ａからＬＥＤ２３ｅのすべてのＬＥＤを赤系に点灯させることとする。
【０１５７】
また、そうすることで、貯水槽１２の水位レベルを視覚的に離れた場所でも容易に貯水槽１２の詳細な水位レベルを確認することができる。
【０１５８】
（実施の形態１６）
実施の形態７乃至１５のいずれかと同一部分は同一番号を付し、詳細な説明は省略する。本発明の実施の形態１６を図１と図４に基づいて説明する。図において、満水設定ボタン１７は、使用者の使い勝手をよくする機能である。使用者の住宅環境と使用者の力の有無関係でより快適に使用していただくための機能のであり、初期設定された通常の水量満水レベルでは、例えば、除湿機の１０リットルタイプの貯水槽１２は、２．９リットル溜めることができるが、使用者が水量を捨てるためには２．９リットルが重く感じる人や住宅環境により、捨てる場所までの距離が遠いなどの条件では、重すぎて運ぶことが出来ないことがある。
【０１５９】
また、満水設定ボタン１７で再度、初期設定の満水レベルから使用者のお好みの設定に変更することで、少ない水量でも満水設定が可能となり、持ち運びが楽になる。
【０１６０】
さらに、満水設定が可能になることで、使用者の持ち運び時に起こる水量のこぼれや使用者の持ち運びによる負担を軽減できる。
【０１６１】
（実施の形態１７）
実施の形態７乃至１６のいずれかと同一部分は同一番号を付し、詳細な説明は省略する。本発明の実施の形態１７を図１と図４と図１１に基づいて説明する。図において、満水設定ボタン１７を押すことで、ＬＥＤ表示させて変更した満水水位レベルを表示することができる。
【０１６２】
例えば、図１１のように満水設定ボタン１７を押した際、水量表示ボタン１６を押したときと同様に通常モードから切替えられ、表示手段２４の全てを用いて表示することができる。
【０１６３】
また、現状は、ホール素子２２ｆが満水となっているが、設定変更により、ホール素子２２ｅ→ホール素子２２ｄ→…ホール素子２２ａに変更でき、その様子をＬＥＤ２３ｅ→ＬＥＤ２３ｄ→…ＬＥＤ２３ａで表示して、今現在どの水位を満水レベルに設定しているかＬＥＤ２３ａ〜２３ｅを用いて表示することができる。
【０１６４】
さらに、ホール素子２２ｆの時は満水時でＬＥＤを全点灯して表示することとする。
【０１６５】
また、これにより、初期設定から使用者のお好みの設定し、設定した水位を確認することができ、持ち運び時に起こる水量のこぼれや使用者の持ち運びによる負担を軽減できる。
【０１６６】
（実施の形態１８）
実施の形態７乃至１７のいずれかと同一部分は同一番号を付し、詳細な説明は省略する。本発明の実施の形態１８を図１と図４と図１１に基づいて説明する。図において、満水設定ボタン１７を押すことで、複数色に発光するＬＥＤを表示させて変更した満水水位レベルを表示することができる。
【０１６７】
例えば、図１１のように満水設定ボタンを押した際、水量表示ボタン１６を押したときを同様に通常モードから切替えられ、表示手段２４の全てを用いて表示することができる。
【０１６８】
また、現状は、ホール素子２２ｆが満水となっているが、設定変更により、ホール素子２２ｅ→ホール素子２２ｄ→…ホール素子２２ａに変更でき、その様子をＬＥＤ２３ｅ→ＬＥＤ２３ｄ→…ＬＥＤ２３ａで表示して、今現在どの水位を満水レベルに設定しているかＬＥＤ２３ａ〜ＬＥＤ２３ｅを用いて表示してくれる。
【０１６９】
さらに、水位レベルを複数色のＬＥＤを用いることで、初期設定から変更した水位であることを黄色等の通常のＬＥＤ表示色と変更することで、初期設定と異なることを表現することができるため、離れた場所でも容易に確認することができる。
【産業上の利用可能性】
【０１７０】
貯水槽の水位表示を視覚的に見易くし、使い勝手を向上させることができ、除湿装置など貯水水位を備えた電気機器の用途にも適用できる。
【図面の簡単な説明】
【０１７１】
【図１】本発明の実施の形態１乃至１８の除湿装置の構成を示す図
【図２】（１）同実施の形態１乃至１８の除湿装置の斜視図、（２）同実施の形態１乃至１８の表示手段と水滴落下イメージ図
【図３】同実施の形態１乃至１８の除湿装置の操作部の正面図
【図４】同実施の形態１乃至１８の除湿装置のブロック図
【図５】同実施の形態７の除湿装置のホール素子２２ａ〜２２ｆがすべてＯＦＦの時の表示手段２４の動作を示す図
【図６】同実施の形態７の除湿装置のホール素子２２ａがＯＮの時の表示手段２４の動作を示す図
【図７】同実施の形態７の除湿装置のホール素子２２ｂがＯＮの時の表示手段２４の動作を示す図
【図８】同実施の形態８乃至１０の除湿装置のホール素子２２ａ〜２２ｆがすべてＯＦＦの時の表示手段２４のＬＥＤの輝度を変更したときの動作を示す図
【図９】同実施の形態８乃至１０の除湿装置のホール素子２２ａがＯＮの時の表示手段２４のＬＥＤの輝度を変更したときの動作を示す図
【図１０】同実施の形態８乃至１０の除湿装置のホール素子２２ｂがＯＮの時の表示手段２４のＬＥＤの輝度を変更したときの動作を示す図
【図１１】同実施の形態１４、１５、１７、１８の除湿装置のホール素子２２ａ〜２２ｆの動作と水量表示ボタン１６が押されたときの表示手段２４の動作を示す図
【図１２】従来の除湿機の構成を示す図
【図１３】同除湿機の斜視図
【符号の説明】
【０１７２】
１      吸込口
２      排出口
３      除湿装置本体
４      送風ファン
５      吸湿材
６      再生ヒータ
７      再生ファン
８      凝縮器
９      湿度センサ
１０    制御部
１１    操作部
１２    貯水槽
１３    スイッチ入力部
１３ａ  電源スイッチ
１３ｂ  除湿切替弱スイッチ
１３ｃ  除湿切替中スイッチ
１３ｄ  除湿切替強スイッチ
１４    表示部
１４ａ  運転表示部
１４ｂ  弱運転表示部
１４ｃ  中運転表示部
１４ｄ  強運転表示部
１４ｅ  満水表示部
１５    満水予測ボタン
１６    水量表示ボタン
１７    満水設定ボタン
１８    磁石
１９    フロート
２０    開口部
２１    水位検知手段
２２ａ  ホール素子
２２ｂ  ホール素子
２２ｃ  ホール素子
２２ｄ  ホール素子
２２ｅ  ホール素子
２２ｆ  ホール素子
２３ａ  ＬＥＤ
２３ｂ  ＬＥＤ
２３ｃ  ＬＥＤ
２３ｄ  ＬＥＤ
２３ｅ  ＬＥＤ
２４    表示手段
２５    水量検出手段
【図１】
2007253137.tif 000003
【図２】
2007253137.tif 000004
【図３】
2007253137.tif 000005
【図４】
2007253137.tif 000006
【図５】
2007253137.tif 000007
【図６】
2007253137.tif 000008
【図７】
2007253137.tif 000009
【図８】
2007253137.tif 000010
【図９】
2007253137.tif 000011
【図１０】
2007253137.tif 000012
【図１１】
2007253137.tif 000013
【図１２】
2007253137.tif 000014
【図１３】
2007253137.tif 000015